(57)【要約】【課題】操作性が向上したカラー画像形成装置を提供することを目的とする。【解決手段】読取ページについて、読取動作前の段階で読取色を指定するようにしているので、１つの複写ジョブにおいて、複数の読取色の複写動作を行わせることができて非常に便利であるという効果を得る。【選択図】          図２
2005045295.tif 000002
【特許請求の範囲】
【請求項１】
カラー原稿読取機能と、カラー印刷機能を備え、カラー原稿読取機能により読み取って得た画像データをカラー印刷機能を用いて記録紙へ印刷し、複写機能を実現可能なカラー画像形成装置において、
所定の編集機能を備え、
原稿読取時、ページ毎の読取色を指定させて、その指定色でカラー原稿読み取りを行い、おのおののページの画像データについて、当該指定色で画像を管理するとともに、
編集作業が指定された場合には、編集対象となるページについては、それぞれのページの画像データに対応した指定色を維持するようにしたことを特徴とするカラー画像形成装置。
【請求項２】
前記編集作業としてページ集約が指定された場合、集約先の印刷ページを管理する際、当該印刷ページのデータを保存するページバッファは、当該印刷ページについて指定されている指定色の色プレーンを適用し、
１つの印刷ページに異なる色の画像ページを配置可能にしたことを特徴とする請求項１記載の画像形成装置。
【請求項３】
前記ページ毎の読取色の指定は、それぞれのページの読み取り開始時に行うようにしたことを特徴とする請求項１記載のカラー画像形成装置。
【請求項４】
前記ページ毎の読取色の指定は、連続する複数ページについて一括して指定できるようにしたことを特徴とする請求項１記載のカラー画像形成装置。
【請求項５】
前記画像データを蓄積手段へ蓄積するときには、当該画像データに対応した指定色の設定を維持するようにしたことを特徴とする請求項１記載のカラー画像形成装置。
【発明の詳細な説明】
【０００１】
【発明の属する技術分野】
本発明は、カラー原稿読取機能と、カラー印刷機能を備え、カラー原稿読取機能により読み取って得た画像データをカラー印刷機能を用いて記録紙へ印刷し、複写機能を実現可能なカラー画像形成装置に関する。
【０００２】
【従来の技術】
従来より、カラー原稿読取機能と、カラー印刷機能を備え、カラー原稿読取機能により読み取って得た画像データをカラー印刷機能を用いて記録紙へ印刷し、複写機能を実現可能なデジタルカラー複写装置等のカラー画像形成装置が実用されている（特許文献１参照）。
【０００３】
【特許文献１】
特開平６−２２５１２１号公報
【０００４】
【発明が解決しようとする課題】
さて、このような従来のカラー画像形成装置では、例えば、複写ジョブ毎に読取色を指定できるようにしており、１つの複写ジョブにおいては、同一色での複写動作が行えるようになっていた。例えば、複写ジョブの操作時に読取色を「赤」に指定しておくと、当該複写ジョブの原稿が３ページあるとすると、３ページ全てが赤色で複写される。
【０００５】
ところが、このような従来方法では、ユーザが１ページ目をモノクロ複写、２ページ目を赤色読取複写、３ページ目をモノクロ複写というように、読取ページ毎に異なる複写色で複写ジョブを行おうとした場合には、１ページ目と３ページ目の複写ジョブと、２ページ目の複写ジョブを別々に行う必要があり、操作性が悪いという問題があった。
【０００６】
本発明はこのような課題を解決するために、操作性が向上したカラー画像形成装置を提供することを目的とする。
【０００７】
【課題を解決するための手段】
本発明は、カラー原稿読取機能と、カラー印刷機能を備え、カラー原稿読取機能により読み取って得た画像データをカラー印刷機能を用いて記録紙へ印刷し、複写機能を実現可能なカラー画像形成装置において、所定の編集機能を備え、原稿読取時、ページ毎の読取色を指定させて、その指定色でカラー原稿読み取りを行い、おのおののページの画像データについて、当該指定色で画像を管理するとともに、編集作業が指定された場合には、編集対象となるページについては、それぞれのページの画像データに対応した指定色を維持するようにしたものである。
【０００８】
また、前記編集作業としてページ集約が指定された場合、集約先の印刷ページを管理する際、当該印刷ページのデータを保存するページバッファは、当該印刷ページについて指定されている指定色の色プレーンを適用し、１つの印刷ページに異なる色の画像ページを配置可能にしたものである。
【０００９】
また、前記ページ毎の読取色の指定は、それぞれのページの読み取り開始時に行うようにしたものである。
【００１０】
また、前記ページ毎の読取色の指定は、連続する複数ページについて一括して指定できるようにしたものである。
【００１１】
また、前記画像データを蓄積手段へ蓄積するときには、当該画像データに対応した指定色の設定を維持するようにしたものである。
【００１２】
【発明の実施の形態】
以下、添付図面を参照しながら、本発明の実施の形態を詳細に説明する。
【００１３】
図１は、本発明の一実施例にかかるカラーデジタル複写機の構成例を示している。
【００１４】
同図において、システム制御部１は、このカラーデジタル複写機の各部の制御処理、および、所定の複写処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このカラーデジタル複写機に固有な各種の情報を記憶するためのものであり、時計回路４は、現在時刻情報を出力するためのものである。
【００１５】
カラースキャナ５は、所定の解像度でフルカラーで原稿画像を読み取るためのものであり、単色読取機能も備えている。カラー印刷装置６は、所定の解像度で画像をフルカラーで印刷出力できるものであり、単色記録機能も備えている。操作表示部７は、このカラーデジタル複写機を操作するためのもので、各種の操作キー、および、各種の表示器からなる。
【００１６】
ページバッファ８は、カラー印刷装置６に出力する印刷データを、１ページ分、各色プレーン毎に保持するものであり、各色プレーンに保存された印刷データは、それぞれ並列的にカラー印刷装置６へ送り出される。磁気ディスク装置９は、ドキュメントボックス機能等を実現するために多数の画像データを保存するためのものである。
【００１７】
ページメモリ１０は、カラースキャナ５が読み取って得た画像データを一時的に保存するものであり、当該画像データがカラー画像データの場合には、各色プレーンの画像データがそれぞれの色プレーン単位に保存される。編集装置１１は、ページメモリ１０に保存された画像データについて、適宜な編集処理を行う際に必要となるデータ転送機能を実現するものであり、高速なデータ転送機能として、ＤＭＡ機能を備えている。例えば、編集処理として、Ａ４横（Ａ４Ｙ）サイズの２枚分の画像をＡ３縦（Ａ３Ｔ）サイズの１枚の用紙に並べて合成する集約編集が選択された場合、Ａ４Ｙサイズの１ページ目の画像データを、ページバッファ８に確保されたＡ３Ｔサイズのバッファ領域の前半分に、９０度回転させた態様で転送するとともに、Ａ４Ｙサイズの２ページ目の画像データを、ページバッファ８の同じＡ３Ｔサイズのバッファ領域の後半分に、９０度回転させた態様で転送する。同様にして、Ａ４Ｙサイズの２枚分の画像をＡ４Ｙサイズの１枚の用紙に重ねて合成する合成編集もこの編集装置１１を利用することで実現することができる。
【００１８】
これらの、システム制御部１、システムメモリ２、パラメータメモリ３、時計回路４、カラースキャナ５、カラー印刷装置６、操作表示部７、ページバッファ８、磁気ディスク装置９、ページメモリ１０、および、編集装置１１は、内部バス１２に接続されており、これらの各要素間でのデータのやりとりは、主としてこの内部バス１２を介して行われている。
【００１９】
ここで、カラースキャナ５は、読取原稿を白成分と黒成分に分解するモノクロ読取機能、赤成分と非赤成分に分解する赤白読取機能、緑成分と非緑成分に分解する緑白読取機能、青成分と非青成分に分解する青白読取機能、および、フルカラー読取機能を備えている。
【００２０】
そして、モノクロ読み取りで得た画像データは、ページメモリ１０の黒プレーンへ保存され、赤白読み取りで得た画像データは、ページメモリ１０の赤プレーンへ保存され、緑白読み取りで得た画像データは、ページメモリ１０の緑プレーンへ保存され、青白読み取りで得た画像データは、ページメモリ１０の青プレーンへ保存され、フルカラー読み取りで得た画像データは、ページメモリ１０の赤プレーン、緑プレーン、および、青プレーンへ保存される。
【００２１】
また、ページバッファ８には、黒プレーン、赤プレーン、緑プレーン、青プレーンの４つの色プレーンの画像データが保存され、各色プレーンの画像データは、カラー印刷装置６へ転送されると、カラー印刷装置６では、印刷時のトナーの組合せに分解した印刷データを作成して印刷動作を行う。
【００２２】
本実施例では、原稿の編集処理として、集約編集処理を行う。この集約編集処理は、例えば、Ａ４Ｙサイズの２枚分の画像をＡ３Ｔサイズの１枚の用紙に並べて合成するというものであり、元のＡ４Ｙサイズの画像は、９０度回転された状態で、用紙の前半と後半に配置された態様で印刷出力される。
【００２３】
このとき、読み取りページについて、読み取り色を指定することができる。
【００２４】
例えば、複写ジョブの複写原稿が５枚あり、図２に示すように、１ページ目は読取色が黒に指定され、２ページ目は読取色が赤に指定され、３ページ目は読取色が緑に指定され、４ページ目は読取色が黒に指定され、５ページ目は読取色が緑に指定されたとする。
【００２５】
この場合には、ページメモリ１０に、１ページ目の画像データが読取色（指定色）が黒の態様で保存され、２ページ目の画像データが読取色が赤の態様で保存され、３ページ目の画像データが読取色が緑の態様で保存され、４ページ目の画像データが読取色が黒の態様で保存され、５ページ目の画像データが読取色が緑の態様で保存される。
【００２６】
そして、１ページ目の印刷ページに対応したページバッファ８のデータ領域には、Ａ３Ｔサイズのデータ領域が確保されるとともに、その黒プレーンの前半部に、１ページ目の読取ページの画像データが９０度回転された態様で転送され（図３（ａ）参照）、さらに、その赤プレーンの後半部に、２ページ目の読取ページの画像データが９０度回転された態様で転送され（図３（ｂ）参照）、カラー印刷装置６の印刷動作が行われる。その結果、図３（ｃ）に示すように、Ａ３Ｔサイズの用紙の前半分に１ページ目の複写物が画像色が黒の態様で印刷されるとともに、その用紙の後半分に２ページ目の複写物が画像色が赤の態様で印刷される。
【００２７】
また、２ページ目の印刷ページに対応したページバッファ８のデータ領域には、Ａ３Ｔサイズのデータ領域が確保されるとともに、その緑プレーンの前半部に、３ページ目の読取ページの画像データが９０度回転された態様で転送され（図４（ａ）参照）、さらに、その黒プレーンの後半部に、４ページ目の読取ページの画像データが９０度回転された態様で転送され（図４（ｂ）参照）、カラー印刷装置６の印刷動作が行われる。その結果、図４（ｃ）に示すように、Ａ３Ｔサイズの用紙の前半分に３ページ目の複写物が画像色が緑の態様で印刷されるとともに、その用紙の後半分に４ページ目の複写物が画像色が黒の態様で印刷される。
【００２８】
また、３ページ目の印刷ページに対応したページバッファ８のデータ領域には、Ａ３Ｔサイズのデータ領域が確保されるとともに、その緑プレーンの前半部に、５ページ目の読取ページの画像データが９０度回転された態様で転送され（図５（ａ）参照）、カラー印刷装置６の印刷動作が行われる。その結果、図５（ｂ）に示すように、Ａ３Ｔサイズの用紙の前半分に５ページ目の複写物が画像色が緑の態様で印刷される。
【００２９】
また、この集約編集処理の変形として、同一の色が指定されたページの画像を集めて集約編集する、指定色集約編集処理がある。
【００３０】
この色指定集約編集処理の場合、図２の読取指定色の場合で、集約指定色として緑が指定された場合、図６（ａ）に示すように、１ページ目の印刷ページに対応したページバッファ８のデータ領域には、Ａ３Ｔサイズのデータ領域が確保されるとともに、その緑プレーンの前半部に、３ページ目の読取ページの画像データが９０度回転された態様で転送され、さらに、その緑プレーンの後半部に、５ページ目の読取ページの画像データが９０度回転された態様で転送され、カラー印刷装置６の印刷動作が行われる。
【００３１】
その結果、同図（ｂ）に示すように、Ａ３Ｔサイズの用紙の前半分に３ページ目の複写物が画像色が緑の態様で印刷されるとともに、その用紙の後半分に５ページ目の複写物が画像色が緑の態様で印刷される。
【００３２】
図７は、読取時の処理の一例を示している。
【００３３】
まず、ユーザがカラースキャナ５へ読取原稿をセットし（処理１０１）、各種の設定を操作入力する（処理１０２）。処理１０２で入力される内容は、例えば、操作表示部７を適宜に操作して入力可能な内容であり、ページ毎の印刷色の指定、複写物の色の濃度、印刷部数等である。ここで、印刷色の指定は、１ページずつ行う方法と、連続する複数ページからなるグループについて行う方法等がある。
【００３４】
そして、ユーザがスタートキー（図示略）を操作して、複写の開始を指令するまで待つ（判断１０３のＮＯループ）。
【００３５】
ユーザがスタートキーを操作した場合で、判断１０３の結果がＹＥＳになると、読取ページ数を管理するためのカウンタｎの値を１に設定する（処理１０４）。
【００３６】
そして、ｎページ目の読取色を読み出す（処理１０５）。ここで、ｎページ目の読取色が指定されていたかどうかを調べ（判断１０６）、判断１０６の結果がＮＯになるときには、「ｎページ目の読取色を指定してください」というような読取色指定ガイダンスメッセージを操作表示部７へ表示して（処理１０７）、ユーザにｎページ目の読取色を指定させる（処理１０８）。また、判断１０６の結果がＮＯになるときには、処理１０７，１０８を行わない。
【００３７】
次いで、読取色に指定された指定色のプレーンの領域をページメモリ１０に用意し（処理１０９）、カラースキャナ５の読取色を指定色に設定して、読取動作を行わせる（処理１１０）。これにより、カラースキャナ５は、指定された読取動作を行い、そのときに得た画像データは、ページメモリ１０に用意した領域へ保存する。
【００３８】
ここで、当該ページについてドキュメントボックス等への蓄積モードが指定されているかどうかを調べ（判断１１１）、判断１１１の結果がＹＥＳになるときには、そのときにページメモリ１０に保存したデータを磁気ディスク装置９に設けたドキュメントボックス等へ蓄積する（処理１１２）。このとき、指定色をあらわすデータも関連づけて蓄積する。また、判断１１１の結果がＮＯになるときには、処理１１２を実行しない。
【００３９】
次いで、次の読取ページがセットされているかどうかを調べ（判断１１３）、判断１１３の結果がＹＥＳになるときには、カウンタｎの値を１つ増やして（処理１１４）、処理１０５へ戻り、次のページの読み取り動作を行う。また、判断１１３の結果がＮＯになるときには、このときの読取動作を終了する。
【００４０】
図８，９，１０は、印刷処理の一例を示している。
【００４１】
まず、編集処理を行う旨が指定されているかどうかを調べ（判断２０１）、判断２０１の結果がＹＥＳになるときには、編集処理として指定色集約編集処理が指定されているかどうかを調べる（判断２０２）。
【００４２】
判断２０２の結果がＹＥＳになるときには、処理対象のページ番号を管理するためのカウンタｎの値を１に初期設定する（処理２０３）。
【００４３】
そして、ｎページ目の画像データの指定色を調べて（処理２０４）、集約指定色と同じであるかどうかを調べる（判断２０５）。判断２０５の結果がＹＥＳになるときには、ｎページ目の画像データを、ページバッファ８に設けた領域の前半部または後半部へと転送して保存する（処理２０６）。
【００４４】
ここで、１ページ分の印刷ページが完成したかどうかを調べ（判断２０７）、判断２０７の結果がＹＥＳになるときには、カラー印刷装置６に対して１ページ分の印刷動作を行わせる（処理２０８）。なお、判断２０７の結果がＮＯになるときには、処理２０８を行わない。また、判断２０５の結果がＮＯになるときには、処理２０６、判断２０７、および、処理２０８を行わない。
【００４５】
次に、全てのページについての処理が終了したかどうかを調べる（判断２０９）。判断２０９の結果がＮＯになるときには、カウンタｎの値を１つ増やして（処理２１０）、処理２０４へ戻り、次のページについての処理を行う。
【００４６】
また、判断２０９の結果がＹＥＳになるときには、ページバッファ８に用意した領域に未印刷データが保存されているかどうかを調べ（判断２１１）、判断２１１の結果がＹＥＳになるときには、カラー印刷装置６に対して１ページ分の印刷動作を行わせ（処理２１２）、この処理を終了する。また、判断２１１の結果がＮＯになるときには、その時点でこの処理を終了する。
【００４７】
また、集約編集処理が指定されている場合で判断２０２の結果がＮＯになるときには、処理対象のページ番号を管理するためのカウンタｎの値を１に初期設定する（処理２１５）。
【００４８】
そして、ｎページ目の画像データを、ページバッファ８に設けた領域の前半部または後半部へと転送して保存する（処理２１６）。
【００４９】
ここで、１ページ分の印刷ページが完成したかどうかを調べ（判断２１７）、判断２１７の結果がＹＥＳになるときには、カラー印刷装置６に対して１ページ分の印刷動作を行わせる（処理２１８）。なお、判断２１７の結果がＮＯになるときには、処理２１８を行わない。
【００５０】
次に、全てのページについての処理が終了したかどうかを調べる（判断２１９）。判断２１９の結果がＮＯになるときには、カウンタｎの値を１つ増やして（処理２２０）、処理２１６へ戻り、次のページについての処理を行う。
【００５１】
また、判断２１９の結果がＹＥＳになるときには、ページバッファ８に用意した領域に未印刷データが保存されているかどうかを調べ（判断２２１）、判断２２１の結果がＹＥＳになるときには、カラー印刷装置６に対して１ページ分の印刷動作を行わせ（処理２２２）、この処理を終了する。また、判断２２１の結果がＮＯになるときには、その時点でこの処理を終了する。
【００５２】
また、編集処理が指定されていない場合で、判断２０１の結果がＮＯになるときには、処理対象のページ番号を管理するためのカウンタｎの値を１に初期設定する（処理２２５）。
【００５３】
そして、ｎページ目の画像データを、ページバッファ８に設けた領域へ転送して保存し（処理２２６）、カラー印刷装置６に対して１ページ分の印刷動作を行わせる（処理２２７）。
【００５４】
次に、全てのページについての処理が終了したかどうかを調べる（判断２２８）。判断２２８の結果がＮＯになるときには、カウンタｎの値を１つ増やして（処理２２９）、処理２２６へ戻り、次のページについての処理を行う。
【００５５】
また、判断２２８の結果がＹＥＳになるときには、この処理を終了する。
【００５６】
このようにして、本実施例では、読取ページについて、読取動作前の段階で読取色を指定するようにしているので、１つの複写ジョブにおいて、複数の読取色の複写動作を行わせることができて非常に便利である。
【００５７】
また、集約編集処理が指定された場合、１ページに異なる読取色の画像ページを配置することができるので、集約編集処理の使い勝手が大幅に向上する。また、指定色のみを集約させる色指定集約編集処理も実現することができるので、非常に便利である。
【００５８】
なお、上述した実施例では、フルカラー読取機能とフルカラー印刷機能を備えているカラーデジタル複写機に本発明を適用しているが、２色読取機能と２色印刷機能を備えているカラーデジタル複写機についても、本発明を同様にして適用することができる。
【００５９】
【発明の効果】
以上説明したように、本発明によれば、読取ページについて、読取動作前の段階で読取色を指定するようにしているので、１つの複写ジョブにおいて、複数の読取色の複写動作を行わせることができて非常に便利であるという効果を得る。
【００６０】
また、集約編集処理が指定された場合、１ページに異なる読取色の画像ページを配置することができるので、集約編集処理の使い勝手が大幅に向上するという効果も得る。また、指定色のみを集約させる指定色集約編集処理も実現することができるので、非常に便利であるという効果も得る。
【図面の簡単な説明】
【図１】本発明の一実施例にかかるカラーデジタル複写機の構成例を示したブロック図。
【図２】集約編集処理が指定された場合の複写動作を説明するための概略図。
【図３】集約編集処理が指定された場合の複写動作を説明するための概略図（図２の続き）。
【図４】集約編集処理が指定された場合の複写動作を説明するための概略図（図３の続き）。
【図５】集約編集処理が指定された場合の複写動作を説明するための概略図（図４の続き）。
【図６】色指定集約編集処理が指定された複写動作を説明するための概略図。
【図７】読取時の処理例を示したフローチャート。
【図８】印刷時の処理例を示したフローチャート。
【図９】印刷時の処理例を示したフローチャート（続き）。
【図１０】印刷時の処理例を示したフローチャート（続き）。
【符号の説明】
１  システム制御部
２  システムメモリ
３  パラメータメモリ
４  時計回路
５  カラースキャナ
６  カラー印刷装置
７  操作表示部
８  ページバッファ
９  磁気ディスク装置
１０  ページメモリ
１１  編集装置
【図１】
2005045295.tif 000003
【図２】
2005045295.tif 000004
【図３】
2005045295.tif 000005
【図４】
2005045295.tif 000006
【図５】
2005045295.tif 000007
【図６】
2005045295.tif 000008
【図７】
2005045295.tif 000009
【図８】
2005045295.tif 000010
【図９】
2005045295.tif 000011
【図１０】
2005045295.tif 000012